(57)【特許請求の範囲】
【請求項１】
上部ケースと下部ケースとから形成されるリモコン本体と、このリモコン本体の下部ケースの内底面に沿って設け、電子部品を配線した一枚のプリント基板に取り付けられ、運転状況を報知する音源と、前記音源の周囲を該音源の外周形状に沿って取り囲むように前記上部ケースの裏面に配設し、前記音源の音エネルギーが前記リモコン本体内で拡散するのを防ぎ該音源の対向する前記上部ケース方向へ集中させる筒状の内壁と、前記音源に対向する前記上部ケースの部分の音穴を覆って前記上部ケース表面に設けた銘板を備え、前記内壁は切り欠きを設けた浴室リモコン。
【発明の詳細な説明】
【０００１】
【発明の属する技術分野】
本発明は、給湯器等を制御するリモートコントローラ（以下、リモコンと呼ぶ）に関するものである。
【０００２】
【従来の技術】
従来この種のリモコンは、図８から図１０に示すような構造のものがあり、リモコン本体に内蔵され風呂の沸き上がり完了などの運転状況を報知するための音源であるブザーの音が、近年の省電力化のため音源の出力を上げられない中、リモコン外部に大きく聞こえるように様々な工夫が施されている。以下その構造を図を参照しながら説明する。
【０００３】
図８は従来の構造のリモコンの一例を示す破砕断面図である。図に示すように、このリモコンは上部ケース１と下部ケース２より本体が形成されており、その内部には電子部品や回路を搭載した上部基板３と下部基板４の２枚のプリント基板が内蔵されている。音源である円筒状のブザー５は外部に報知音が届きやすいように上部基板３に搭載され、加えて上部ケース１のブザー５に近接する部分に音穴６が設けられている。
【０００４】
図９は従来の構造のリモコンの他の一例である。なお、従来例１と同一構造の部品には同一番号を付し詳細な説明を省略する。基本的な構造は従来例１と同一であるが、プリント基板は下部基板４の一枚となってブザー５を含む全ての部品が下部基板４に搭載されリモコンが薄型化されている。
【０００５】
図10は同じく他の従来例のリモコンのブザー５周りの破砕断面図であるが、上部ケース１だけではなく銘板７にも音穴８が設けられ、リモコン外部に音を漏らして大きく聞こえるような構成となっている。
【０００６】
【発明が解決しようとする課題】
しかしながら上記従来のリモコンでは、音源をリモコン表面に近接させるためプリント基板を２枚とし上部の基板に搭載する必要が有り、リモコンの薄型化ができないと言う課題があった。またプリント基板を一枚とした場合、音源はリモコン表面から離れるため、音の振動エネルギー(図中に矢印で示す)がリモコン内部に拡散してしまいリモコンより外部に発する音が小さくなってしまうという課題があった。
【０００７】
さらに銘板に音穴をあけるという方策では、リモコンの気密性が保たれないため高湿度雰囲気である浴室で使えないと言う課題があった。
【０００８】
【課題を解決するための手段】
本発明は上記課題を解決するために、上部ケースと下部ケースとから形成されるリモコン本体と、このリモコン本体の下部ケースの内底面に沿って設け、電子部品を配線した一枚のプリント基板に取り付けられ、運転状況を報知する音源と、前記音源を内蔵するリモコン本体内部に前記音源の周囲を該音源の外周形状に沿って取り囲むように前記上部ケースの裏面に配設し、前記音源の音エネルギーが前記リモコン本体内で拡散するのを防ぎ該音源の対向する前記上部ケース方向へ集中させる筒状の内壁と、前記音源に対向する前記上部ケースの部分の音穴を覆って前記上部ケース表面に設けた銘板を備え、前記内壁は切り欠きを設けた浴室リモコンである。
【０００９】
上記発明によればリモコン内部に設けられた内壁が音源から発せられる音の振動エネルギーがリモコン内部に拡散するのを防ぐため、リモコンから外部に発する音源の音が大きくなる。よって音源をリモコン表面に近接させる必要が無くリモコンのプリント基板を１枚にでき、リモコン本体の薄型化が可能となる。また銘板にも音穴を開ける必要が無く、浴室用のリモコンにも適用できる。また、音の拡散を防ぐ効果を保ったまま内壁と他の電子部品の干渉を避けられ、比較的自由にプリント基板上に音源を配設することが可能となる。
【００１０】
【発明の実施の形態】
本発明の浴室リモコンでは、上部ケースと下部ケースから形成されるリモコン本体と、このリモコン本体の下部ケースの内底面に沿って設け、電子部品を配線した一枚のプリント基板に取り付けられ、運転状況を報知する音源と、前記音源の周囲を該音源の外周形状に沿って取り囲むように前記上部ケースの裏面に配設し、前記音源の音エネルギーが前記リモコン本体内で拡散するのを防ぎ該音源の対向する前記上部ケース方向へ集中させる筒状の内壁と、前記音源に対向する前記上部ケースの部分の音穴を覆って前記上部ケース表面に設けた銘板を備え、前記内壁は切り欠きを設けたものである。
【００１１】
そしてリモコン本体内部に設けられた前記音源の周囲を取り囲んで配設した筒状の内壁が、音源から発せられる音の振動エネルギーがリモコン内部に拡散するのを防ぎ正面の音穴に集中させるため、リモコンより外部に発する音が大きくなる。また音源をリモコン表面に近接させる必要が無くリモコンのプリント基板を１枚にでき、結果リモコン本体の薄型化が可能となる。加えて銘板に音穴を開ける必要が無く、リモコン内部の気密性を保持することができ、高湿度雰囲気である浴室でも使用できる。
【００１２】
また、音源の周囲を取り囲んで配設した筒状の内壁に切り欠きを入れたものである。そして内壁に切り欠きを有するため、音の拡散を防ぐ効果を保ったまま内壁と他の電子部品の干渉を避けることができ、比較的自由にプリント基板上に音源を配設することが可能となる。
【００１３】
【実施例】
以下、本発明の実施例について、図面を用いて説明する。
【００１４】
（実施例１）
図１から図３に本発明の実施例１を示す。図１は本発明の実施例１のリモコンの構造を示す破砕断面図である。また図２はその分解構造図、図３はリモコンを正面より見た、音源周りの破砕断面図である。なお、従来例と同一構造の部品には同一番号を付して詳細な説明を省略する。
【００１５】
図に示すように、このリモコンは上部ケース１と下部ケース２より本体が形成されている。上部ケース１は液晶表示部９の表示窓10、電池収納部11、スイッチ12まで伸びたスイッチボス13などより構成され、そして音穴６が正面に開けられその音穴６よりプリント基板14に搭載された音源５の周囲を取り囲むように内壁15が伸びている。また上部ケース１の正面には、リモコンのスイッチボタン16が付いた銘板７が貼り付けられている。プリント基板14は一枚で構成されその上には音源５、液晶表示部９、スイッチ12、給湯器本体と交信するための通信モジュール17などが搭載されている。
【００１６】
次にその動作と作用について説明する。リモコン本体に内蔵されたブザー５は、使用者がリモコンのスイッチボタン16を押してプリント基板14上のスイッチ12を開閉し電気回路を作動させたときに、音を発生して使用者に報知したり、給湯器本体から通信モジュール17を介して受け取った運転情報、例えば風呂の沸き上がり完了などの運転状況を報知する。当然このブザーの音はリモコンから離れていても使用者に良く聞こえるため音量が大きいほど好ましい。本実施例では、上部ケース１の正面側に音穴６が開けられ、その音穴６よりプリント基板14に搭載された音源５の周囲を取り囲むように円筒状の内壁15が伸びている。音源のブザー５が報知音を発生すると、この内壁15が音の振動エネルギーをリモコン内部に拡散し内部で減衰するのを防ぎ音穴６のある正面方向に集中させるため、リモコン正面より外部に発する報知音が大きくなる。
【００１７】
以上の作用より、音源をリモコン表面に近接させる必要が無くリモコンのプリント基板を１枚にでき、結果リモコン本体の薄型化が可能となる。また銘板７に音穴を開ける必要が無く、リモコン内部の気密性を保持することができ、高湿度雰囲気である浴室でも使用できる。
【００１８】
（実施例２）
図４から図６に本発明の実施例２を示す。図４は本発明の実施例２のリモコンの構造を示す破砕断面図である。また図５はその分解構造図、図６はリモコンを正面より見た、音源周りの破砕断面図である。なお、実施例１と同一構造の部品には同一番号を付して詳細な説明を省略する。本実施例のリモコンの構造は前記実施例１とほぼ同一であるが、プリント基板14上に他の電子部品18が搭載され、ブザー５がスイッチ13側に寄せられて配置させられている。そしてブザー５の周囲を取り囲んで配せられた筒状の内壁15に切り欠き19を有するため、音の拡散を防ぐ効果を保ったまま内壁15と他の電子部品18やスイッチ13との干渉を避けることができ、比較的自由にプリント基板上に音源を配置することが可能となる。
【００１９】
図７に本発明におけるリモコンの外部に発生されるブザーの音圧を測定した時の測定条件を模式的に示す。測定は外部からの雑音や反響が無い無響室内で室温を２０℃に保って行われ、リモコン20をリモコン取付台21に床面22より１ｍの高さで固定し、音圧測定用の集音マイク23を同じ高さでリモコン20より１ｍの距離をおいて測定した。
【００２０】
例えば本実施例のリモコンでは、可聴域である周波数約２ｋＨｚ域で約６０ｄＢの音圧であった。一方、比較のためブザー５や電子部品やリモコンケース１、２の構造は同じで内壁15が無いだけのリモコン（従来例２、図９を参照）の音圧の測定を行ったが、周波数約２ｋＨｚ域で約５４ｄＢの音圧であった。
【００２１】
以上の結果から本実施例ではブザー５の周囲を取り囲んでリモコンの前面の音穴６まで伸びる内壁15が、リモコン外部に発する音圧を約６ｄＢ向上させた。
【００２２】
なお、本発明では内壁15の形状をブザー５の形状に合わせて円筒形としているが、音源の形状に合わせた形状にすれば同様の効果が得られる。
【００２３】
また本発明では上部ケース１に音穴６を設けているが、音穴を設けなくても音の振動エネルギーの抵抗インピーダンスは銘板と変わらないので同様の効果がある。
【００２４】
また、本発明では音源をブザーとしたが、スピーカーなど他の種類の音源でも同様に実施することができる。
【００２５】
また本発明では給湯器を制御するリモコンに実施したが、音源を内蔵するケース構造物、例えば家庭機器のリモコンや携帯電話などでも同様に実施することができる。
【００２６】
【発明の効果】
以上の説明から明らかなように、本発明の浴室リモコン構造によれば以下のような効果が得られる。
【００２７】
（１）上部ケースと下部ケースから形成されるリモコン本体と、このリモコン本体の下部ケースの内底面に沿って設け、電子部品を配線した一枚のプリント基板に取り付けられ、運転状況を報知する音源と、リモコン本体内部に音源の周囲を該音源の外周形状に沿って取り囲むように前記上部ケースの裏面に配設し、前記音源の音エネルギーが前記リモコン本体内で拡散するのを防ぎ該音源の対向する前記上部ケース方向へ集中させる筒状の内壁と、前記音源に対向する前記上部ケースの部分の音穴を覆って前記上部ケース表面に設けた銘板を備え、前記内壁は切り欠きを設けた構造としているので、この内壁が音源から発せられる音の振動エネルギーがリモコン内部に拡散し減衰するのを防ぎ、音穴のある正面方向に集中させるため、リモコン正面より外部に発する報知音を大きくすることができる。
【００２８】
また音源をリモコン表面に近接させる必要が無くリモコンのプリント基板を１枚にでき、結果リモコン本体の薄型化が可能となる。加えて銘板に音穴を開ける必要が無く、リモコン内部の気密性を保持することができ、高湿度雰囲気である浴室でも使用できる。
【００２９】
（２）音源の周囲を取り囲んで配せられた内壁に切り欠きを有するため、音の拡散を防ぐ効果を保ったまま内壁と他の電子部品の干渉を避けることができ、比較的自由にプリント基板上に音源を配置することが可能となる。
【図面の簡単な説明】
【図１】  本発明の実施例１のリモコンの断面図
【図２】  同リモコンの分解断面図
【図３】  同リモコンの正面図
【図４】  本発明の実施例２のリモコンの断面図
【図５】  同リモコンの分解断面図
【図６】  同リモコンの正面図
【図７】  リモコンのブザー音圧の測定方法を示す模式図
【図８】  従来のリモコンの断面図
【図９】  従来の他のリモコンの断面図
【図10】  従来のリモコンのブザー周りにおける音の振動エネルギーの伝搬状態を示す破砕断面図
【符号の説明】
１  上部ケース
２  下部ケース
５  ブザー
６  音穴
１４  プリント基板
１５  内壁
【図１】
0004135248.tif 000002
【図２】
0004135248.tif 000003
【図３】
0004135248.tif 000004
【図４】
0004135248.tif 000005
【図５】
0004135248.tif 000006
【図６】
0004135248.tif 000007
【図７】
0004135248.tif 000008
【図８】
0004135248.tif 000009
【図９】
0004135248.tif 000010
【図１０】
0004135248.tif 000011